(57)【要約】      （修正有）【課題】前後厚を小さくできる１８０度折畳式のヘッドレストを提供する。【解決手段】ヘッドレストを、回動ブラケット１１、ヘッドレストフレーム１２、主軸２１、固定ブラケット２２、回動ブラケット付勢バネ、ロックピン２４、ロックピン付勢バネ及びロック解除部材２６で構成し、回動ブラケット１１の係止部Ａ４を後壁部Ａ１の下部に設けた折曲部とし、使用時の上側位置にあるときには、回動ブラケット１１又は固定ブラケット２２の係止部Ｘ１とロックピン２４の係止部Ｃ１とが係止することによって前方回動が規制され、固定ブラケット２２の係止部Ｂ４と回動ブラケット１１の係止部Ａ４とが係止することによって後方回動が規制され、ロック解除部材２６を操作してロックピン２４を移動させると、係止部Ｘ１と係止部Ｃ１とが外れ、回動ブラケット付勢バネ付勢力によって前方回動して不使用時の前方下側位置となるようにした。【選択図】図８
2018039490.tif 000002
【特許請求の範囲】
【請求項１】
使用時の上側位置と不使用時の前方下側位置との間で略１８０°回動可能な構造を有する折畳式のヘッドレストであって、
後壁部Ａ１と左右一対の側壁部Ａ２，Ａ３とを有し、後壁部Ａ１の下部に係止部Ａ４が設けられた回動ブラケットと、
左右一対の縦フレーム部と、縦フレーム部の上部同士を連結する横フレーム部とを有するゲート状を為し、回動ブラケットに固定されたヘッドレストフレームと、
ヘッドレストステーの上部又はシートバックフレームの上部に対して直接的又は間接的に固定されて、回動ブラケットが回動可能に支持される主軸と、
後壁部Ｂ１と左右一対の側壁部Ｂ２，Ｂ３とを有し、後壁部Ｂ１の上部に係止部Ｂ４が設けられ、主軸に対して固定された固定ブラケットと、
回動ブラケットを前方下側位置に向かって常時付勢するための回動ブラケット付勢バネと、
回動ブラケットの側壁部Ａ２，Ａ３又は固定ブラケットの側壁部Ｂ２，Ｂ３に対して昇降回動可能に支持され、その外周面の一部に係止部Ｃ１を有するロックピンと、
ロックピンを、その係止部Ｃ１が、回動ブラケットと固定ブラケットのうちロックピンが支持されていない方の側壁部Ａ２，Ａ３又は側壁部Ｂ２，Ｂ３に設けられた係止部Ｘ１に係止されるロック方向に常時付勢するためのロックピン付勢バネと、
ロックピンをその係止部Ｃ１が係止部Ｘ１から外れるロック解除方向に強制的に移動させるロック解除部材と、
で構成され、
係止部Ａ４又は係止部Ｂ４のうち少なくとも一方が、後壁部Ａ１の下部又は後壁部Ｂ１の上部に設けられた折曲部とされ、
使用時の上側位置にあるときには、
係止部Ｘ１とロックピンの係止部Ｃ１とが係止することによって、後方から力が加えられた場合であっても前方回動が規制され、
固定ブラケットの係止部Ｂ４と回動ブラケットの係止部Ａ４とが係止することによって、前方から力が加えられた場合であっても後方回動が規制され、
ロック解除部材を操作してロックピンをロック解除方向に移動させると、係止部Ｘ１とロックピンの係止部Ｃ１とが外れ、回動ブラケット付勢バネの付勢力によって前方回動して不使用時の前方下側位置となるようにした
ことを特徴とするヘッドレスト。
【請求項２】
回動ブラケットの側壁部Ａ２，Ａ３が、固定ブラケットの側壁部Ｂ２，Ｂ３よりも外側に位置するとともに、
ヘッドレストフレームの縦フレーム部における外周面に当接した状態で、側壁部Ａ２，Ａ３が配置され、
ヘッドレストフレームの縦フレーム部の下端部が、主軸の近傍まで延在された
請求項１記載のヘッドレスト。
【請求項３】
ロックピンが、回動ブラケットの側壁部Ａ２，Ａ３に支持されて、
係止部Ｘ１が、固定ブラケットの側壁部Ｂ２，Ｂ３に設けられるとともに、
回動ブラケット及び固定ブラケットが、ヘッドレストフレームにおける左側の縦フレーム部の下端部と右側の縦フレーム部の下端部とにそれぞれ設けられて、
主軸が、左側の固定ブラケットと右側の固定ブラケットとに挿通されて溶接結合され、
左側の固定ブラケットと右側の固定ブラケットとが、左右一対のヘッドレストステーにおけるそれぞれのステーの上端部、又は、シートバックに収容されたシートバックフレームの上部に対して固定された
請求項１又は２記載のヘッドレスト。
【請求項４】
少なくとも一方が上端部を開放された中空パイプからなる左右一対のヘッドレストステーと、
シートバックの上部に固定され、ヘッドレストステーを昇降可能な状態で保持するステーホルダと、
左右一対のヘッドレストステーのうち、上端部を開放された中空パイプからなる側のヘッドレストステーの上端部に固定されたワイヤ固定部材及びワイヤ固定補助部材と、
をさらに備え、
ロック解除ピンが、その一端側の外周面にカム部Ｃ２を有し、
ロック解除部材が、
上端部を開放された中空パイプからなるヘッドレストステーの内部に挿通されたロック解除ワイヤと、
カム部Ｄ１を有し、ロック解除ワイヤの上端部に固定されたロック解除プレートと、
で構成され、
使用時の上側位置にあるときに、ロック解除ワイヤを引張操作すると、ロック解除プレートのカム部Ｄ１がロックピンのカム部Ｃ２に作用して、ロックピンがロック解除方向に移動するようにした
請求項１〜３いずれか記載のヘッドレスト。
【請求項５】
ロック解除部材が、ロックピンをロック解除方向に移動させるためのロック解除レバーである請求項１〜３いずれか記載のヘッドレスト。
【請求項６】
シートフレームに固定するためのシートフレームブラケットをさらに備え、
シートフレームブラケットと、固定ブラケットのうち、
又は、
シートフレームブラケットと、別途設けられた主軸ブラケットのうち、
一方に、フック部が形成され、他方に、当該フック部に嵌合可能なフック嵌合部が形成され、
フック部に対してフック嵌合部を嵌合することによって、回動ブラケット、ヘッドレストフレーム、主軸、固定ブラケット、回動ブラケット付勢バネ、ロックピン、ロックピン付勢バネ及びロック解除部材で構成されるヘッドレストユニットをシートフレームブラケットに対して位置決めし、その状態で互いをボルトで固定できるようにした
請求項１、２、３又は５記載のヘッドレスト。
【発明の詳細な説明】
【技術分野】
【０００１】
本発明は、自動車等のシートバック上部に備えられるヘッドレストに関する。
【背景技術】
【０００２】
自動車等のシートバック上部に備えられるヘッドレストとしては、各種のものが提案されている。例えば、使用時の上側位置（シートバック上部から上方に突き出た位置）と、不使用時の前方下側位置（シートバック前面に沿う位置）との間で、略１８０°回転可能な構造を有するヘッドレスト（以下においては、当該構造を有するヘッドレストを「１８０度折畳式のヘッドレスト」と呼ぶことがある。）が提案されている（例えば、特許文献１の図１を参照。）。
【０００３】
この１８０度折畳式のヘッドレストは、ハッチバック型の自動車における最後列のシートで採用されることが多い。というのも、ハッチバック型の自動車は、最後列のシートを前方に倒した状態に折り畳むことによって、後方の収納スペース（トランクルーム）を居住スペース（乗車スペース）まで拡大できる構造となっていることが一般的であるところ、最後列のシートに備え付けられたヘッドレストが１８０度折畳式のものであると、最後列のシートをコンパクトに折り畳むことができるようになるからである。
【先行技術文献】
【特許文献】
【０００４】
【特許文献１】特開２００５−２２５２４６号公報
【発明の概要】
【発明が解決しようとする課題】
【０００５】
ところで、上記のように、前方に倒した状態に折り畳むことができるシートに備え付ける１８０度折畳式のヘッドレストは、その前後厚（使用時における前後方向の厚さ）をできるだけ薄くすることが要求される。というのも、１８０度折畳式のヘッドレストの前後厚が大きいと、不使用時において前方下側位置に格納したヘッドレストが、シートバックの前面から前方に突き出た状態となって、シートを略水平となる状態まで倒すことができなくなるからである。
【０００６】
しかし、１８０度折畳式のヘッドレストでは、上側位置から前方下側位置まで回動させる機構（以下においては、当該機構を「回動機構」と呼ぶことがある。）の強度を確保する必要があり、その前後厚を抑えることは、非常に困難であった。特に、ヘッドレストフレームが上下に長く、背の高いヘッドレストは、回動機構の回動中心付近には大きなトルクがかかりやすいため、回動機構の前後厚を抑えることが難しい。例えば、上記の特許文献１のヘッドレストでは、同文献の図５に示されるように、ヘッドレストフレーム（フレーム６）が上下に長く、背の高い構造が採用されているところ、同文献の図３に示されるように、回動機構が複雑で大型なものとなっているため、ヘッドレストの前後厚は、ある程度厚くなると考えられる。このため、特許文献１のヘッドレストでは、前方前側位置となったヘッドレストを収容するための凹部をシートバックの前面に設け（同文献の段落００２０を参照。）、シートの座り心地を犠牲にしていると考えられる。
【０００７】
また、特許文献１のヘッドレストは、高さ調節可能な構造としにくいという欠点も有している。というのも、特許文献１のヘッドレストは、同文献の図５に示されるように、ヘッドレストを操作するためのワイヤ（ワイヤ手段６８）が、ヘッドレストの下部中央部に連結される構造となっているからである。すなわち、当該構造において、ヘッドレストの高さを調節できるようにしようとすると、ヘッドレストの上下動に伴って張った状態となったり弛んだ状態となったりするワイヤを取り回すスペースを、シートバック内に設ける必要があるところ、そのようなスペースをシートバック内に設けることは、必ずしも容易ではない。
【０００８】
さらに、特許文献１のヘッドレストは、必要な強度を得るためには、上記の回転機構を構成する各部材の厚みを大きくする必要があるものとなっている。このため、特許文献１のヘッドレストは、軽量化が困難であることに加えて、各部材の成形に、ファインブランキング加工等の特殊な加工を採用する必要があり、生産性を向上させることも困難であるという欠点を有している。
【０００９】
本発明は、上記課題を解決するために為されたものであり、背を高くした場合であっても前後厚を小さくすることができる１８０度折畳式のヘッドレストを提供するものである。また、高さ調節を行う態様にも好適に採用することのできる１８０度折畳式のヘッドレストを提供することも本発明の目的である。さらに、１８０度折畳式のヘッドレストの軽量化や生産性の向上を図ることも本発明の目的である。
【課題を解決するための手段】
【００１０】
上記課題は、
使用時の上側位置と不使用時の前方下側位置との間で略１８０°回動可能な構造を有する折畳式のヘッドレストであって、
後壁部Ａ１と左右一対の側壁部Ａ２，Ａ３とを有し、後壁部Ａ１の下部に係止部Ａ４が設けられた回動ブラケットと、
左右一対の縦フレーム部と、縦フレーム部の上部同士を連結する横フレーム部とを有するゲート状を為し、回動ブラケットに固定されたヘッドレストフレームと、
ヘッドレストステーの上部又はシートバックフレームの上部に対して直接的又は間接的に固定されて、回動ブラケットが回動可能に支持される主軸と、
後壁部Ｂ１と左右一対の側壁部Ｂ２，Ｂ３とを有し、後壁部Ｂ１の上部に係止部Ｂ４が設けられ、主軸に対して固定された固定ブラケットと、
回動ブラケットを前方下側位置に向かって常時付勢するための回動ブラケット付勢バネと、
回動ブラケットの側壁部Ａ２，Ａ３又は固定ブラケットの側壁部Ｂ２，Ｂ３に対して昇降回動可能に支持され、その外周面の一部に係止部Ｃ１を有するロックピンと、
ロックピンを、その係止部Ｃ１が、回動ブラケットと固定ブラケットのうちロックピンが支持されていない方の側壁部Ａ２，Ａ３又は側壁部Ｂ２，Ｂ３に設けられた係止部Ｘ１に係止されるロック方向に常時付勢するためのロックピン付勢バネと、
ロックピンをその係止部Ｃ１が係止部Ｘ１から外れるロック解除方向に強制的に移動させるロック解除部材と、
で構成され、
係止部Ａ４又は係止部Ｂ４のうち少なくとも一方が、後壁部Ａ１の下部又は後壁部Ｂ１の上部に設けられた折曲部とされ、
使用時の上側位置にあるときには、
係止部Ｘ１とロックピンの係止部Ｃ１とが係止することによって、後方から力が加えられた場合であっても前方回動が規制され、
固定ブラケットの係止部Ｂ４と回動ブラケットの係止部Ａ４とが係止することによって、前方から力が加えられた場合であっても後方回動が規制され、
ロック解除部材を操作してロックピンをロック解除方向に移動させると、係止部Ｘ１とロックピンの係止部Ｃ１とが外れ、回動ブラケット付勢バネの付勢力によって前方回動して不使用時の前方下側位置となるようにした
ことを特徴とするヘッドレスト
を提供することによって解決される。
【００１１】
本発明のヘッドレストは、１８０度折畳式のものであるところ、上記のように、使用時における前方回動や後方回動の規制を単純な構造で実現するとともに、前方回動を規制する部材として昇降回動可能なロックピンを採用したことによって、ヘッドレストフレームが上下に長い場合（ヘッドレストの背が高い場合。例えば、ヘッドレストの回動中心からヘッドレストの上端部までの高さが３２０ｍｍでその箇所に９８０Ｎの負荷が加わる場合。）であっても、ヘッドレストの前後厚を４０ｍｍ程度にすることが可能なものとなっている。ここで、「昇降回動」とは、ヘッドレストの側方からロックピンを見たときに、ロックピンが円弧状の軌跡を描いて上下動することを云う。
【００１２】
また、本発明のヘッドレストは、後述するように、高さ調節を行う態様にも好適に採用することのできるものとなっている。さらに、本発明のヘッドレストでは、固定ブラケットを主軸に対して１００ｍｍ程度の十分な長さの溶接で固定、一体化し、回動ブラケットを、後壁部Ａ１と側壁部Ａ２，Ａ３とを有する溝型部材として、固定ブラケットを、後壁部Ｂ１と側壁部Ｂ２，Ｂ３とを有する溝型部材とし、側壁部Ａ２，Ａ３のそれぞれ、又は、側壁部Ｂ２，Ｂ３のそれぞれに係止部Ｘ１を設けたことにより、ロックピンから回動ブラケット又は固定ブラケットに加えられる力を、側壁部Ａ２と側壁部Ａ３とで、又は、側壁部Ｂ２と側壁部Ｂ３とで分散させることができる等、ヘッドレストの回動機構を構成する各部材の板厚を小さくしても、必要な強度を得ることができるようになっている。したがって、ヘッドレストの軽量化を図ることができるだけでなく、各部材の成形を一般的なプレス加工で行うことができる等、ヘッドレストの生産性の向上を図ることも可能となっている。
【００１３】
本発明のヘッドレストにおいては、
回動ブラケットの側壁部Ａ２，Ａ３を、固定ブラケットの側壁部Ｂ２，Ｂ３よりも外側に位置させるとともに、
ヘッドレストフレームの縦フレーム部における外周面に当接した状態で、側壁部Ａ２，Ａ３を配置し、
ヘッドレストフレームの縦フレーム部の下端部を、主軸の近傍まで延在させる
と好ましい。
【００１４】
これにより、回動側部材における主軸付近（ヘッドレストの回動中心付近）の剛性をさらに高めることが可能になる。したがって、回動機構を、その前後厚を抑えながらも、さらに大きなトルクに耐え得るものとして、ヘッドレストの背が高い場合であっても、より好適に採用できるものとすることが可能になる。
【００１５】
本発明のヘッドレストにおいては、ロックピンを、固定ブラケットの側壁部Ｂ２，Ｂ３に支持し、係止部Ｘ１を、回動ブラケットの側壁部Ａ２，Ａ３に設けてもよい。また、回動ブラケットと固定ブラケットは、１組のみ設けてもよい。さらに、固定ブラケットは、主軸を介して、ヘッドレストステーやシートバックフレームに間接的に固定する構造としてもよい。
しかし、
ロックピンを、回動ブラケットの側壁部Ａ２，Ａ３に支持して、
係止部Ｘ１を、固定ブラケットの側壁部Ｂ２，Ｂ３に設けるとともに、
回動ブラケット及び固定ブラケットを、ヘッドレストフレームにおける左側の縦フレーム部の下端部と右側の縦フレーム部の下端部とにそれぞれ設けて、
主軸を、左側の固定ブラケットと右側の固定ブラケットとに挿通して溶接結合し、
左側の固定ブラケットと右側の固定ブラケットとを、左右一対のヘッドレストステーにおけるそれぞれのステーの上端部、又は、シートバックに収容されたシートバックフレームの上部に対して固定する
と好ましい。
【００１６】
というのも、固定ブラケットを、主軸を介して、ヘッドレストステーやシートバックフレームに間接的に固定する構造（後述する第一実施態様のヘッドレスト（図１）を参照）を採用すると、使用時のヘッドレストに対して前方から力が加わった場合に、その力の略全てが、最終的には、主軸と固定ブラケットとの結合部分に加わるようになるため、主軸と固定ブラケットとの結合部分が捩じれて破損等する虞があるところ、上記のように、固定ブラケットをヘッドレストステーやシートバックフレームに対して直接的に固定する構造（後述する第三実施態様のヘッドレスト（図７）を参照）を採用すると、使用時のヘッドレストに対して前方から力が加わった場合に、その力の略全てを、ヘッドレストステー又はシートバックフレームに対して固定された固定ブラケットで直接的に受けるようにし、主軸に捩じり力がかかることがなく、主軸と固定ブラケットとの結合部分に大きな負荷がかからないようにすることが可能になるからである。
【００１７】
また、回動ブラケット及び固定ブラケットを１組のみ設ける構造（後述する第一実施態様のヘッドレスト（図１）を参照）を採用すると、使用時のヘッドレストに対して後方から力が加わった場合に、その力を、回動ブラケットの側壁部Ａ２，Ａ３に設けられた計２箇所の係止部Ｘ１で受けるようになるところ、上記のように、回動ブラケット及び固定ブラケットを左右一対に設ける構造（後述する第三実施態様のヘッドレスト（図７）を参照）を採用すると、使用時のヘッドレストに対して後方から力が加わった場合に、その力を、左側の固定ブラケット及び右側の固定ブラケットにおけるそれぞれの側壁部Ｂ２，Ｂ３に設けられた計４箇所の係止部Ｘ２で受け、より十分な強度を確保することも可能になるからである。
【００１８】
さらに、回動ブラケット及び固定ブラケットを１組のみ設ける構造（後述する第一実施態様のヘッドレスト（図１）を参照）を採用すると、ヘッドレストの本体に片当たりしたとき（左右方向片側にのみ力が加えられたとき等）に、ヘッドレストの本体の左側と右側のうち一方が前方へ移動して他方が後方へ移動する向きの捩じれが生じ得るところ、上記のように、回動ブラケット及び固定ブラケットを左右一対に設けて、それぞれの固定ブラケットを左右それぞれのヘッドレストステーに直接的に固定し、それぞれの回動ブラケットをヘッドレストフレームの左右それぞれの縦フレーム部に直接的に固定する構造（後述する第三実施態様のヘッドレスト（図７）を参照）を採用すると、ヘッドレストの本体に片当たりしたときであっても、その捩じれを抑えることも可能になるからである。
【００１９】
このように、固定ブラケットをヘッドレストステーやシートバックフレームに対して直接的に固定する構造や、回動ブラケット及び固定ブラケットを左右一対に設ける構造は、様々な利点を有しており、ヘッドレストを大型化しなくても、ヘッドレストの強度を高めることができるという効果を得ることができるものとなっている。この点、ロックピンを可動ブラケットの側壁部Ａ２，Ａ３に支持し、係止部Ｘ１を、固定ブラケットの側壁部Ｂ２，Ｂ３に設けることによって、そのような構造を簡素に実現することができる。
【００２０】
本発明のヘッドレストにおいて、ロック解除部材の具体的な構成は、特に限定されない。本発明のヘッドレストに係る構成は、以下のように、ロック解除部材として、ワイヤ（ロック解除ワイヤ）を用いる態様と、レバー（ロック解除レバー）を用いる態様のいずれにも採用することができる。
【００２１】
ロック解除部材としてワイヤ（ロック解除ワイヤ）を用いる態様としては、以下の構成が好適である。
すなわち、
少なくとも一方が上端部を開放された中空パイプからなる左右一対のヘッドレストステーと、
シートバックの上部に固定され、ヘッドレストステーを昇降可能な状態で保持するステーホルダと、
左右一対のヘッドレストステーのうち、上端部を開放された中空パイプからなる側のヘッドレストステーの上端部に固定されたワイヤ固定部材及びワイヤ固定補助部材と、
をさらに備え、
ロック解除ピンが、その一端側の外周面にカム部Ｃ２を有し、
ロック解除部材が、
上端部を開放された中空パイプからなるヘッドレストステーの内部に挿通されたロック解除ワイヤと、
カム部Ｄ１を有し、ロック解除ワイヤの上端部に固定されたロック解除プレートと、
で構成され、
使用時の上側位置にあるときに、ロック解除ワイヤを引張操作すると、ロック解除プレートのカム部Ｄ１がロックピンのカム部Ｃ２に作用して、ロックピンがロック解除方向に移動するようにする
構成である。
【００２２】
この構成は、左右一対のヘッドレストステーを、シートバックの上部（より正確には、シートバックの上部に固定されたステーホルダ）に対して昇降可能に保持させる場合に、特に好適に採用することができる。というのも、上記の構成は、ロック解除ワイヤに固定されたロック解除プレートが、ロックピンの端部に設けられたカム部Ｃ２に作用するようになっており、ヘッドレストを高さ調節可能な構造とした場合であっても、ロック解除ワイヤを複雑に取り回す必要がないからである。
【００２３】
また、ロック解除部材としてレバー（ロック解除レバー）を用いる態様としては、以下の構成が好適である。すなわち、ロック解除部材を、ロックピンをロック解除方向に移動させるためのロック解除レバーとする構成である。ロック解除レバーは、ロックピンに対して一体的に形成されたものであってもよいし、歯車やワイヤ等の動力伝達機構を介してロックピンに間接的に連結されたものであってもよい。この構成では、ロック解除部材を非常に単純な構造とすることができる。この構成は、ヘッドレストの固定ブラケットを、シートバックの上部に対して昇降可能に保持されたヘッドレストステーの上部に固定する場合にも採用することができるが、その固定ブラケットを、シートバックフレームの上部に固定する場合にも採用することができる。
【００２４】
ロック解除部材としては、上述した、ロック解除ワイヤを用いるものや、ロック解除レバーを用いるものに限定されず、押ボタンを用いるものとしたり、ストラップを用いるものとしたりすることもできる。
【００２５】
ところで、本発明のヘッドレストにおいて、シートバックの上部に対してヘッドレストステーを昇降可能な構造としない場合には、
シートフレームに固定するためのシートフレームブラケットをさらに備え、
シートフレームブラケットと、固定ブラケットのうち、
又は、
シートフレームブラケットと、別途設けられた主軸ブラケットのうち、
一方に、フック部が形成され、他方に、当該フック部に嵌合可能なフック嵌合部を形成され、
フック部に対してフック嵌合部を嵌合させることによって、回動ブラケット、ヘッドレストフレーム、主軸、固定ブラケット、回動ブラケット付勢バネ、ロックピン、ロックピン付勢バネ及びロック解除部材で構成されるヘッドレストユニットをシートフレームブラケットに対して位置決めし、その状態で互いをボルトで固定できるようにする
ことも好ましい。
【００２６】
これにより、ヘッドレストメーカーでユニット化して製造したヘッドレストを、アセンブリメーカーがシートバックに対して容易に組み付けることが可能になる。加えて、ヘッドレストの詳細な仕様に変更があった場合であっても、アセンブリメーカーでは、変更前のものと同様の手法で、ヘッドレストをシートバックに対して組み付けることも可能になる。また、使用時のヘッドレストをぐらつきにくくすることも可能になる。特に、使用時のヘッドレストに外力が加わった場合（特に、前方からの外力が加わった場合）に、その外力をフック部とフック嵌合部とで受けることも可能になる。
【発明の効果】
【００２７】
以上のように、本発明によって、背を高くした場合であっても前後厚を小さくすることができる１８０度折畳式のヘッドレストを提供することが可能になる。また、高さ調節を行う態様にも好適に採用することのできる１８０度折畳式のヘッドレストを提供することも可能になる。さらに、１８０度折畳式のヘッドレストの軽量化や生産性の向上を図ることも可能になる。
【図面の簡単な説明】
【００２８】
【図１】第一実施態様のヘッドレストを分解した状態を示した斜視図である。
【図２】第一実施態様のヘッドレストを前方及び側方から見た状態を示した図である。
【図３】第一実施態様のヘッドレストが使用時の上側位置にある状態及び不使用時の前方下側位置にある状態を、側方から見た状態を示した側面図である。
【図４】ロック解除プレートの他の実施態様を示した図である。
【図５】第二実施態様のヘッドレストを前方及び側方から見た状態を示した図である。
【図６】第二実施態様のヘッドレストの変形例を示した図である。
【図７】第三実施態様のヘッドレストを、（ａ）前方から見た状態を示した図、及び、（ｂ）同図におけるα−α面で切断した断面を示した図である。
【図８】第三実施態様のヘッドレストにおける回動ブラケット及び固定ブラケットの周辺を、（ａ）使用時の上側位置で解除操作を行っていない状態、（ｂ）使用時の上側位置で解除操作を行っている状態、及び、（ｃ）不使用時の前方下側位置にある状態のそれぞれについて、側方から見た状態を示した図である。
【発明を実施するための形態】
【００２９】
本発明のヘッドレストの好適な実施態様について、図面を用いてより具体的に説明する。以下においては、３つの実施態様（第一実施態様、第二実施態様及び第三実施態様）を例に挙げて、本発明のヘッドレストを説明する。ただし、本発明のヘッドレストの技術的範囲は、これらの実施態様のものに限定されない。本発明のヘッドレストは、発明の趣旨を損なわない範囲で適宜変更を施すことができる。後述する図１〜８においては、ｘ軸、ｙ軸及びｚ軸を表しているが、以下においては、ｘ軸方向負側を「左」側、ｘ軸方向正側を「右」側、ｙ軸方向負側を「後」側、ｙ軸方向正側を「前」側、ｚ軸方向負側を「下」側、ｚ軸方向正側を「上」側として説明する。
【００３０】
１．第一実施態様のヘッドレスト
まず、第一実施態様のヘッドレストについて説明する。図１は、第一実施態様のヘッドレストを分解した状態を示した斜視図である。図２は、第一実施態様のヘッドレストを前方及び側方から見た状態を示した図である。図３は、第一実施態様のヘッドレストが使用時の上側位置にある状態及び不使用時の前方下側位置にある状態を、側方から見た状態を示した側面図である。図３においては、ヘッドレストの一部（丸囲み部分）を、主軸２１に垂直な平面で切断した断面を拡大して示している。
【００３１】
第一実施態様のヘッドレストは、図１に示すように、回動ブラケット１１と、ヘッドレストフレーム１２と、主軸２１と、固定ブラケット２２と、回動ブラケット付勢バネ２３と、ロックピン２４と、ロックピン付勢バネ２５と、ロック解除部材２６と、ロックピン支持軸２７と、左右一対のヘッドレストステー３１，３２とで構成されたものとなっており、図３に示すように、回動ブラケット１１及びヘッドレストフレーム１２が、使用時の上側位置（図３（ａ））と不使用時の前方下側位置（図３（ｂ））との間で、固定ブラケット２２等に対して略１８０°回動可能な構造を有する折畳式のものとなっている。
【００３２】
この第一実施態様のヘッドレストは、図２に示すように、左右一対のヘッドレストステー３１，３２の上端部に強固な一体結合で取り付けられるものとなっている。ヘッドレストステー３１，３２は、シートバック（図示省略）の上部に固定されたステーホルダ４１，４２に対して昇降可能な状態で保持される。第一実施態様のヘッドレストにおいて、ヘッドレストステー３１，３２はいずれも、その上端部を開放された中空パイプとなっているが、このように中空パイプによって形成するのは、後述するロック解除ワイヤ２６ａが挿通される方のヘッドレストステー３１のみでよく、他方のヘッドレストステー３２は、中空パイプによって形成する必要は特にない。
【００３３】
１．１  ヘッドレストフレーム
ヘッドレストフレーム１２は、ヘッドレストの本体（着席者の頭部を支持する部分）に強度を付与するための部材となっている。ヘッドレストフレーム１２は、図１に示すように、左右一対の縦フレーム部１２ａ，１２ｂと、縦フレーム部１２ａ，１２ｂの上部同士を連結する横フレーム部１２ｃとからなるゲート状を為している。縦フレーム部１２ａ，１２ｂは、後述する回動ブラケット１１における側壁部Ａ２，Ａ３の外面側に対して、溶接等により固定される。ヘッドレストフレーム１２の周囲は、図示省略のクッション材及び表皮によって覆われる。
【００３４】
１．２  回動ブラケット
回動ブラケット１１は、図１に示すように、後壁部Ａ１と、後壁部Ａ１の両側縁部から前方に起立する左右一対の側壁部Ａ２，Ａ３とを有する溝型の部材となっている。第一実施態様のヘッドレストにおいて、側壁部Ａ２，Ａ３は、後述する固定ブラケット２２の側壁部Ｂ２，Ｂ３よりも外側に配置されるようになっている。また、側壁部Ａ２，Ａ３の前縁部は、それぞれ外向きにフランジ状に折り曲げられている。このため、回動ブラケット１１は、図２の丸囲み部（回動ブラケット１１及びヘッドレストフレームの縦フレーム部１２ａ，１２ｂをｚ軸に垂直な平面で切断した断面図）に示すように、断面ハット状を為しており、強度に優れ、薄型化が可能なものとなっている。加えて、フランジ状に折り曲げられた側壁部Ａ２，Ａ３によって、ヘッドレストフレーム１２の縦フレーム部１２ａ，１２ｂにおける下部の外周部が覆われるようになっている。縦フレーム部１２ａ，１２ｂの下端部は、後述する主軸２１の近傍（ヘッドレストの回動機構の回動中心付近）まで延在した状態となっている。したがって、ヘッドレストの回動側部材における主軸２１の付近（ヘッドレストの回動機構における回動中心付近）の剛性が高められた状態となっている。よって、後述する主軸２１に強固に一体化された固定ブラケット２２と組み合わされて、ヘッドレストの回動機構を、その前後厚を抑えながらも、大きなトルクに耐え得るものとして、ヘッドレストの背が高い場合であっても、好適に採用できるようになっている。
【００３５】
回動ブラケット１１の後壁部Ａ１の下縁部は、係止部Ａ４となっている。この係止部Ａ４は、図３（ａ）に示すように、使用時のヘッドレスト（上側位置にあるヘッドレスト）の後方回動を規制するために、後述する固定ブラケット２２の係止部Ｂ４に係止される部分となっている。第一実施態様のヘッドレストにおいては、後壁部Ａ１の下縁部に、前方に折り曲げた折曲部を形成しており、この折曲部の下面が、係止部Ａ４となるようにしている。このため、着席者の頭部等によりヘッドレストの本体に前方から加えられる力を受けるためのストッパー部材等を別途設ける必要がないだけでなく、その力を面（折曲部の下面）で分散して受けることもでき、回動ブラケット１１のさらなる薄型化及び軽量化も可能となっている。この折曲部は、固定ブラケット２２の後壁部Ｂ１の上部に設けることもできる。
【００３６】
また、第一実施態様のヘッドレストにおいては、回動ブラケット１１の側壁部Ａ２，Ａ３の下端部付近に、係止部Ｘ１をそれぞれ設けている。この係止部Ｘ１は、図３（ａ）に示すように、使用時のヘッドレスト（上側位置にあるヘッドレスト）の前方回動を規制するために、後述するロックピン２４の係止部Ｃ１に係止される部分となっている。第一実施態様のヘッドレストにおいて、係止部Ｘ１は、ロックピン２４の外周形状に沿う略半円状の切欠部となっている。このように、ロックピン２４の係止部Ｃ１を係止する係止部Ｘ１を、側壁部Ａ２，Ａ３の双方に設けたことによって、ロックピン２４から回動ブラケット１１に加えられる力を側壁部Ａ２，Ａ３で分散させることができるようになっている。したがって、回動ブラケット１１の板厚を小さくしても、必要な強度を得ることができ、ヘッドレストのさらなる軽量化を図ることができるだけでなく、その成形を一般的なプレス加工で行うことも可能となっている。
【００３７】
１．３  主軸
主軸２１は、回動ブラケット１１を回動可能な状態で支持するための軸状の部材となっている。第一実施態様のヘッドレストにおいて、主軸２１は、図１に示すように、ヘッドレストステー３１，３２の上端部に固定された、後述するワイヤ固定補助部材２６ｄから前方に起立して設けられた突片部の貫通穴に挿通されて、負荷トルクに対応した十分な長さの溶接（主軸径１２ｍｍの場合で全長１００ｍｍ）によって固定、一体化されるようになっている。
【００３８】
１．４  固定ブラケット
固定ブラケット２２は、図１に示すように、後壁部Ｂ１と、後壁部Ｂ１の両側縁部から前方に起立する左右一対の側壁部Ｂ２，Ｂ３とを有する溝型の部材となっており、回動ブラケット１１と同様、強度に優れているにもかかわらず、薄型化が可能で、一般的なプレス加工で成形を行うことが可能なものとなっている。固定ブラケット２２の後壁部Ｂ１の上縁部は、回動ブラケット１１の係止部Ａ４に係止するための係止部Ｂ４となっている。固定ブラケット２２の側壁部Ｂ２，Ｂ３の中央部には、大径の貫通孔がそれぞれ設けられており、当該貫通孔には、主軸２１が挿通され、負荷トルクに対応した十分な長さの溶接（主軸径１２ｍｍの場合で全長１００ｍｍ）により固定、一体化される。また、第一実施態様のヘッドレストにおいては、側壁部Ｂ２，Ｂ３の前側下部に、小径の貫通孔をそれぞれ設けており、当該貫通孔には、ロックピン支持軸２７を挿通して固定している。
【００３９】
１．５  回動ブラケット付勢バネ
回動ブラケット付勢バネ２３は、回動ブラケット１１を前方下側位置に向かって常時付勢する（ヘッドレストの本体を前方回動する向きに常時付勢する）ための部材となっている。第一実施態様のヘッドレストにおいて、回動ブラケット付勢バネ２３は、主軸２１に外嵌したコイルバネとしている。
【００４０】
１．６  ロックピン
ロックピン２４は、図３（ａ）に示すように、ヘッドレストが使用時の上側位置にあるときに、固定側部材２０に対して回動側部材１０が前方回動できない状態となるように、固定ブラケット２２（固定側部材）に対して回動ブラケット１１（回動側部材）をロックするための軸状の部材となっている。第一実施態様のヘッドレストにおいては、ロックピン２４を、固定ブラケット２２の側壁部Ｂ２，Ｂ３に対して昇降回動可能な状態となるように、上記のロックピン支持軸２７に対して回動可能な状態で取り付けている。ロックピン２４の外周面の一部は、回動ブラケット１１の側壁部Ａ２，Ａ３に設けられた係止部Ｘ１に係止するための係止部Ｃ１となっている。また、ロック解除ピン２４における、その一端側の外周面は、後述するロック解除プレート２６ｂのカム部Ｄ１が作用するためのカム部Ｃ２となっている。
【００４１】
１．７  ロックピン付勢バネ
ロックピン付勢バネ２５は、ロックピン２４をその係止部Ｃ１が係止部Ｘ１に係止されるロック方向（ロックピン２４が上昇回動する向き）に常時付勢するための部材となっている。第一実施態様のヘッドレストにおいて、ロックピン付勢バネ２５は、ロックピン支持軸２７に外嵌したコイルバネとしている。
【００４２】
１．８  ロック解除部材
ロック解除部材２６は、ロックピン２４をその係止部Ｃ１が係止部Ｘ１から外れるロック解除方向（ロックピン２４が下降回動する向き）に強制的に移動させるための部材となっている。ロック解除部材２６は、その具体的な構成を特に限定されないが、第一実施態様のヘッドレストにおいては、図１に示すように、ロック解除ワイヤ２６ａと、ロック解除プレート２６ｂと、ワイヤ固定部材２６ｃと、ワイヤ固定補助部材２６ｄとで構成している。
【００４３】
ロック解除ワイヤ２６ａは、いわゆるブレーキワイヤの構造を有しており、具体的には、外側チューブと、外側チューブに対して長手方向に移動可能な状態で外側チューブ内に挿入された内側ワイヤとで構成されている。ロック解除ワイヤ２６ａは、ヘッドレストステー３１の内部に挿通される。ロック解除ワイヤ２６ａの下端側は、ヘッドレストステー３１の下端部から引き出され、内側ワイヤの下端部は、図示省略の引張操作手段（ロック解除ワイヤ２６ａの内側ワイヤを引っ張り操作するための手段。レバーやボタンやストラップ等が例示される。）に連結される。
【００４４】
一方、ロック解除ワイヤ２６ａの外側チューブの上端部は、ヘッドレストステー３１の上端部に固定されたワイヤ固定部材２６ｃに対して固定される。また、ロック解除ワイヤ２６ａの内側ワイヤの上端部には、ロック解除プレート２６ｂが固定される。このロック解除プレート２６ｂは、ヘッドレストステー３１の上端部に固定されたワイヤ固定補助部材２６ｄに対して昇降可能な状態で取り付けられており、ロック解除プレート２６ｂの下面は、ロックピン２４のカム部Ｃ２に作用するカム部Ｄ１として機能するようになっている。
【００４５】
また、ロック解除プレート２６ｂは、上述したように、昇降動作を行うもののほか、他の動作を行うものとすることもできる。図４は、ロック解除プレート２６ｂの他の実施態様を示した図である。図４のロック解除プレート２６ｂは、ロック解除ワイヤ２６ａの上端部２６ａ１を取り付けるための第一片部２６ｂ１と、主軸２１に対して回動可能な状態で取り付けられる第二辺部２６ｂ２とで構成されている。このロック解除プレート２６ｂは、ロック解除ワイヤ２６ａの内側ワイヤが下側に引っ張られると、ロック解除ワイヤ２６ａの上端部２６ａ１によって第一片部２６ｂ１の後端部が下向きに押し下げられ、主軸２１の中心Ｐ１を回動中心として回動し、第二辺部２６ｂ２の下端縁に設けられたカム部Ｄ１がロックピン２４のカム部Ｃ２に作用してロックピン２４が押し下げられるようになっている。このように、ロック解除プレート２６ｂを回動式のものとすることで、ロック解除プレート２６ｂの動作を安定させることができる。
【００４６】
ところで、第一実施態様のヘッドレストにおいては、上述したように、主軸２１の両端部をワイヤ固定補助部材２６ｄに固定するようにした（ワイヤ固定補助部材２６ｄを、ロック解除ワイヤ２６ａだけでなく、主軸２１を固定する部材としても用いた）ため、ワイヤ固定補助部材２６ｄを、ヘッドレストステー３１，３２の両方に設けている。しかし、ワイヤ固定補助部材２６ｄを介さずに主軸２１をヘッドレストステー３１，３２に固定する構成を採用する場合には、ワイヤ固定補助部材２６ｄは、ロック解除ワイヤ２６ａを設ける側のヘッドレストステー３１の方にのみ設ければよく、他方のヘッドレストステー３２に設ける必要は特にない。
【００４７】
１．９  第一実施態様のヘッドレストの動作
以上で述べた第一実施態様のヘッドレストの動作について説明する。
【００４８】
第一実施態様のヘッドレストは、図３（ａ）に示すように、使用時の上側位置にあるときには、ロックピン付勢バネ２５の付勢力によって、ロックピン２４が上方に移動（ロックピン支持軸２７を中心として上昇回動）し、ロックピン２４の係止部Ｃ１が、回動ブラケット１１の係止部Ｘ１に係止した状態となるようになっている。このため、ヘッドレストの本体に後方から力が加えられた場合であっても、その前方回動が規制されるようになっている。また、ヘッドレストが使用時の上側位置にあるときには、固定ブラケット２２の係止部Ｂ４と回動ブラケット１１の係止部Ａ４も互いに係止するようになっており、固定ブラケット２２は主軸２１に強固に一体化されている。このため、ヘッドレストの本体に前方から力が加えられた場合であっても、その後方回動が規制されるようになっている。
【００４９】
一方、第一実施態様のヘッドレストは、使用時の上側位置にあるときに、上記の引張操作手段（レバーやボタンやストラップ等）を操作して、ロック解除ワイヤ２６ａ（図１）の内側ワイヤを下側へ引張操作すると、ロック解除プレート２６ｂ（図１）が固定補助部材２６ｄ（図１）に対して下降し、ロック解除プレート２６ｂのカム部Ｄ１（図１）がロックピン２４のカム部Ｃ２（図１）を押し下げることによって、ロックピン２４が、ロックピン付勢バネ２５（図１）の付勢力に抗って強制的にロック解除方向（下側）に移動するものとなっている。このため、係止部Ｘ１とロックピン２４の係止部Ｃ１との係合が外れた状態となり、回動ブラケット付勢バネ２３の付勢力によって、回動ブラケット１１が前方回動し、図３（ｂ）に示すように、不使用時の前方下側位置に移動するようになっている。
【００５０】
図３（ｂ）に示す前方下側位置となった際には、ヘッドレストの本体（着席者の頭部を支持する部分）は、シートバックの前面に沿った状態となる。第一実施態様のヘッドレストでは、上記のように、その回動機構を単純な構造によって実現するとともに、ヘッドレストの前方回動を規制する部材として、昇降回動可能なロックピン２４を採用したため、ヘッドレストフレーム１２が上下に長い場合であっても、ヘッドレストの本体の前後厚を抑えることが可能となっている。このため、シートバックの前面から前方に大きく突き出ない状態でヘッドレストを折り畳むことができ、シートバックを前方に倒して折り畳むような場合には、そのシートバックをコンパクトに折り畳むことが可能となっている。ヘッドレストを、図３（ｂ）に示す状態（格納状態）から、再度、図３（ａ）に示す状態（使用状態）としたい場合には、ヘッドレストの本体を手等で掴んで後方回動させるとよい。
【００５１】
２．第二実施態様のヘッドレスト
続いて、第二実施態様のヘッドレストについて説明する。図５は、第二実施態様のヘッドレストを前方及び側方から見た状態を示した図である。図５においては、ヘッドレストの一部（丸囲み部分）を、主軸２１に垂直な平面で切断した断面を拡大して示している。図６は、第二実施態様のヘッドレストの変形例を示した図である。以下においては、第二実施態様のヘッドレストにおける各構成のうち、主に、第一実施態様のヘッドレストと異なる構成に絞って説明する。第二実施態様のヘッドレストにおいて特に言及しない構成は、第一実施態様のヘッドレストで述べたものと同様の構成を採用することができる。
【００５２】
上述した第一実施態様のヘッドレストは、図１に示すように、ヘッドレストステー３１，３２の上部に取り付けられたものとなっていた。これに対し、第二実施態様のヘッドレストは、図５又は図６に示すように、シートフレームブラケット５０を介して、シートフレーム６０（シートバックのフレーム）に固定されるようになっている。図５のヘッドレストにおいて、シートフレームブラケット５０に対して固定されるのは、固定ブラケット２２となっており、図６のヘッドレストにおいて、シートフレームブラケット５０に対して固定されるのは、主軸ブラケット８０（主軸２１の端部に取り付けられたブラケット）となっている。
【００５３】
図５のヘッドレストにおいては、図５（ｂ）に示すように、シートフレームブラケット５０の上側前部が、断面フック状に折り曲げられたフック部Ｅ１となっており、固定ブラケット２２の下側前部が、上向きに起立するように折り曲げられたフック嵌合部Ｂ５となっている。同様に、図６のヘッドレストにおいては、図６（ｂ）に示すように、シートフレームブラケット５０の上側前部が、断面フック状に折り曲げられたフック部Ｅ１となっており、主軸ブラケット８０の下側前部が、上向きに起立するように折り曲げられたフック嵌合部Ｆ１となっている。このため、図５のヘッドレストと図６のヘッドレストはいずれも、回動ブラケット１１、ヘッドレストフレーム１２、主軸２１、固定ブラケット２２、回動ブラケット付勢バネ２３、ロックピン２４、ロックピン付勢バネ２５及びロック解除部材２６で構成されるヘッドレストユニットをシートフレームブラケット５０に対して位置決めしてから、ボルト７０（図５のみに図示し、図６では省略）で固定することができるだけでなく、使用時のヘッドレストをぐらつきにくくすることも可能になっている。
【００５４】
また、第一実施態様のヘッドレストでは、図１に示すように、ロック解除部材２６として、ワイヤ（ロック解除ワイヤ２６ａ）を用いていた。これに対し、第二実施態様のヘッドレストでは、図５に示すように、ロック解除部材２６として、ロック解除レバー２６ｅを用いており、非常に簡素な構造となっている。ロック解除レバー２６ｅは、歯車やワイヤ等の動力伝達機構を介してロックピン２４に間接的に連結してもよいが、第二実施態様のヘッドレストにおいては、ロックピン２４に対して一体的に形成している。
【００５５】
さらに、第一実施態様のヘッドレストでは、図１に示すように、ロックピン２４とロックピン支持軸２７とを別体としていた。これに対し、第二実施態様のヘッドレストでは、図５（ｂ）に示すように、ロックピン２４とロックピン支持軸２７とを一体としている。具体的には、１本の鋼線材をＵ字状に折り曲げ、その一方の折り曲げ端部をロックピン２４として利用し、その他方の折り曲げ端部をロックピン支持軸２７として利用するようにしている。このようにすることで、部品点数を削減して、ヘッドレストユニットの組み付けの手間や製造コストを削減することが可能になる。
【００５６】
その他、固定ブラケット２２と主軸２１は固定、一体化されているが、その場合、図６のヘッドレストは、第一実施態様のヘッドレストと同様に強固な一体化が求められる。しかし、図５のヘッドレストは、構造の違いから大幅に弱い結合でよく、溶接長は短くしてよい。また、第二実施態様のヘッドレストは、回動ブラケット１１やヘッドレストフレーム１２等の各部材の具体的な形態を、第一実施態様のヘッドレストから変更しているが、これらの部材が発揮する機能は、第一実施態様のヘッドレストと同様である。
【００５７】
３．第三実施態様のヘッドレスト
続いて、第三実施態様のヘッドレストについて説明する。以下においては、第三実施態様のヘッドレストにおける各構成のうち、主に、第一実施態様や第二実施態様のヘッドレストと異なる構成に絞って説明する。第三実施態様のヘッドレストにおいて特に言及しない構成は、第一実施態様や第二実施態様のヘッドレストで述べたものと同様の構成を採用することができる。
【００５８】
図７は、第三実施態様のヘッドレストを、（ａ）前方から見た状態を示した図、及び、（ｂ）同図におけるα−α面で切断した断面を示した図である。図８は、第三実施態様のヘッドレストにおける回動ブラケット１１及び固定ブラケット２２の周辺を、（ａ）使用時の上側位置で解除操作を行っていない状態、（ｂ）使用時の上側位置で解除操作を行っている状態、及び、（ｃ）不使用時の前方下側位置にある状態のそれぞれについて、側方から見た状態を示した図である。図８においては、図示の便宜上、ロック解除プレート２６ｂを太線で示している。
【００５９】
上述した第一実施態様のヘッドレストでは、図１に示すように、ロックピン２４を、固定ブラケット２２の側壁部Ｂ２，Ｂ３に支持し、係止部Ｘ１を、回動ブラケット１１の側壁部Ａ２，Ａ３に設けていた。これに対し、第三実施態様のヘッドレストでは、図８に示すように、ロックピン２４を、回動ブラケット１１の側壁部Ａ２，Ａ３に支持し、係止部Ｘ１を、固定ブラケット２２の側壁部Ｂ２，Ｂ３に設けている。具体的には、ロックピン支持軸２７を、回動ブラケット１１の側壁部Ａ２，Ａ３（図８では側壁部Ａ２側のみ図示）に設けたロックピン支持軸挿通孔１１ａに挿通して支持させ、ロックピン２４を、側壁部Ａ２，Ａ３に円弧長孔状に設けたロックピン案内孔１１ｂに挿通するとともに、固定ブラケット２２の側壁部Ｂ２，Ｂ３の上部に、係止部Ｘ１を設けている。第三実施態様のヘッドレストにおいて、ロックピン２４及びロックピン支持軸２７は、上述した第二実施態様のヘッドレストと同様の形態となっている。すなわち、１本の鋼線材をＵ字状に折り曲げ、その一方の折り曲げ端部をロックピン２４として利用し、その他方の折り曲げ端部をロックピン支持軸２７として利用するようにしている。
【００６０】
また、上述した第一実施態様のヘッドレストでは、図１に示すように、回動ブラケット１１及び固定ブラケット２２が、主軸２１の中央部付近に１箇所のみ設けられていた。これに対し、第三実施態様のヘッドレストでは、図７に示すように、回動ブラケット１１及び固定ブラケット２２を、右側と左側とに１箇所ずつ計２箇所に設けている。右側の回動ブラケット１１には、右側の縦フレーム部１２ａの下端部が溶接結合され、左側の回動ブラケット１１には、左側の縦フレーム部１２ｂの下端部が溶接結合されている。また、右側の固定ブラケット２２は、右側のヘッドレストステー３１の上端部に固定され、左側の固定ブラケット２２は、左側のヘッドレストステー３２の上端部に固定されている。このため、ヘッドレストを前方から見ると、右側の縦フレーム部１２ａと右側のヘッドレストステー３１とが、右側の回動ブラケット１１及び固定ブラケット２２を介して、上下方向に一直線状に配され、左側の縦フレーム部１２ｂと左側のヘッドレストステー３２とが、左側の回動ブラケット１１及び固定ブラケット２２を介して、上下方向に一直線状に配された状態となっている。
【００６１】
さらに、第一実施態様のヘッドレストでは、図１に示すように、右側のヘッドレストステー３１の上端部に、ワイヤ固定補助部材２６ｄを設けていた。これに対し、第三実施態様のヘッドレストでは、既に述べたように、固定ブラケット２２を右側のヘッドレストステー３１の上端部に対して直接的に固定するようにしたため、図８（ａ）に示すように、ワイヤ固定補助部材２６ｄに相当する部分を、右側の固定ブラケット２２に一体的に設けている（固定ブラケット２２とは別体のワイヤ固定補助部材２６ｄは設けていない）。
【００６２】
この第三実施態様のヘッドレストは、図８（ａ）に示すように、使用時の上側位置にあるときには、ロックピン付勢バネ２５（図７）の付勢力によって、ロックピン２４が下方に移動（ロックピン支持軸２７を中心として下降回動）し、ロックピン２４の係止部Ｃ１が、固定ブラケット２２の係止部Ｘ１に係止した状態となるようになっている。このため、ヘッドレストの本体に後方から力が加えられた場合であっても、その前方回動が規制されるようになっている。このときには、その力が、左側の固定ブラケット２２及び右側の固定ブラケット２２におけるそれぞれの側壁部Ｂ２，Ｂ３に設けられた計４箇所の係止部Ｘ２で受けられる。したがって、ヘッドレストは、より十分な強度を発揮することが可能となっている。
【００６３】
また、第三実施態様のヘッドレストは、図８（ａ）に示すように、使用時の上側位置にあるときには、固定ブラケット２２の係止部Ｂ４と回動ブラケット１１の係止部Ａ４も互いに係止するようになっている。このため、ヘッドレストの本体に前方から力が加えられた場合であっても、その後方回動が規制されるようになっている。このときには、その力の略全てが、ヘッドレストステー３１に固定された固定ブラケット２２で直接的に受けられる。したがって、主軸２１に捩じり力がかかることがなく、主軸２１と固定ブラケット２２との結合部分に大きな負荷がかからないようにすることが可能となっている。
【００６４】
さらに、第三実施態様のヘッドレストは、図８（ａ）に示すように、使用時の上側位置にあるときに、ヘッドレストの本体（使用者の頭部を支持する部分）に片当たりしたとき（左右方向片側にのみ力が加えられたとき等）であっても、その力を、右側の回動ブラケット１１、固定ブラケット２２、縦フレーム部１２ａ及びヘッドレストステー３１と、左側の回動ブラケット１１、固定ブラケット２２、縦フレーム部１２ｂ及びヘッドレストステー３２とで、しっかりと受けとめることができるため、ヘッドレストの本体の左側及び右側のうち一方が前方に移動して他方が後方に移動するような捩じれが生じないようにすることも可能となっている。
【００６５】
このように、第三実施態様のヘッドレストは、第一実施態様のヘッドレストと比較して、強度的に有利なものとなっている。したがって、ヘッドレストを大型化しなくても、強度を高めることが可能になる。
【００６６】
第三実施態様のヘッドレストでは、使用時の上側位置にあるときに、ロック解除ワイヤ２６ａの内側ワイヤを下側へ引張操作すると、図８（ｂ）に示すように、ロック解除プレート２６ｂの後端部が、固定ブラケット２２（ワイヤ固定補助部材２６ｄ）に対して下降し、ロック解除プレート２６ｂのカム部Ｄ１がロックピン２４のカム部Ｃ２を押し上げることによって、ロックピン２４が、ロックピン付勢バネ２５（図７）の付勢力に抗って強制的にロック解除方向（上側）に移動する。このため、係止部Ｘ１とロックピン２４の係止部Ｃ１との係合が外れた状態となり、回動ブラケット付勢バネ２３の付勢力によって、回動ブラケット１１が前方回動し、図８（ｃ）に示すように、不使用時の前方下側位置に移動する。
【００６７】
４．用途
以上で述べた第一実施態様や第二実施態様のヘッドレスト等、本発明のヘッドレストは、各種の座席に設けることができ、その用途を特に限定されるものではないが、自動車等の車両の座席のシートバックに設けるものとして好適である。特に、ハッチバック型の自動車における最後列のシートで採用すると好適である。
【符号の説明】
【００６８】
１１    回動ブラケット
１１ａ  ロックピン支持軸挿通孔
１１ｂ  ロックピン案内孔
１２    ヘッドレストフレーム
１２ａ  縦フレーム部
１２ｂ  縦フレーム部
１２ｃ  横フレーム部
２１    主軸
２２    固定ブラケット
２３    回動ブラケット付勢バネ
２４    ロックピン
２５    ロックピン付勢バネ
２６    ロック解除部材
２６ａ  ロック解除ワイヤ
２６ａ１  ロック解除ワイヤの上端部
２６ｂ  ロック解除プレート
２６ｂ１  第一片部
２６ｂ２  第二片部
２６ｃ  ワイヤ固定部材
２６ｄ  ワイヤ固定補助部材
２６ｅ  ロック解除レバー
２７    ロックピン支持軸
３１    ヘッドレストステー（右側）
３２    ヘッドレストステー（左側）
４１    ステーホルダ（右側）
４２    ステーホルダ（左側）
５０    シートフレームブラケット
６０    シートフレーム
７０    ボルト
８０    主軸ブラケット
Ａ１  回動ブラケットの後壁部
Ａ２  回動ブラケットの側壁部（右側）
Ａ３  回動ブラケットの側壁部（左側）
Ａ４  回動ブラケットの係止部（後方回動規制用）
Ｂ１  固定ブラケットの後壁部
Ｂ２  固定ブラケットの側壁部（右側）
Ｂ３  固定ブラケットの側壁部（左側）
Ｂ４  固定ブラケットの係止部（後方回動規制用）
Ｂ５  固定ブラケットのフック嵌合部
Ｃ１  ロックピンの係止部
Ｃ２  ロックピンのカム部
Ｄ１  ロック解除プレートのカム部
Ｅ１  シートフレームブラケットのフック部
Ｆ１  主軸ブラケットのフック嵌合部
Ｘ１  回動ブラケット又は固定ブラケットの係止部（前方回動規制用）
【図１】
2018039490.tif 000003
【図２】
2018039490.tif 000004
【図３】
2018039490.tif 000005
【図４】
2018039490.tif 000006
【図５】
2018039490.tif 000007
【図６】
2018039490.tif 000008
【図７】
2018039490.tif 000009
【図８】
2018039490.tif 000010
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
使用時の上側位置と不使用時の前方下側位置との間で略１８０°回動可能な構造を有する折畳式のヘッドレストであって、
後壁部Ａ１と左右一対の側壁部Ａ２，Ａ３とを有し、後壁部Ａ１の下部に係止部Ａ４が設けられた回動ブラケットと、
左右一対の縦フレーム部と、縦フレーム部の上部同士を連結する横フレーム部とを有するゲート状を為し、回動ブラケットに固定されたヘッドレストフレームと、
ヘッドレストステーの上部又はシートバックフレームの上部に対して直接的又は間接的に固定されて、回動ブラケットが回動可能に支持される主軸と、
後壁部Ｂ１と左右一対の側壁部Ｂ２，Ｂ３とを有し、後壁部Ｂ１の上部に係止部Ｂ４が設けられ、主軸に対して固定された固定ブラケットと、
回動ブラケットを前方下側位置に向かって常時付勢するための回動ブラケット付勢バネと、
回動ブラケットの側壁部Ａ２，Ａ３又は固定ブラケットの側壁部Ｂ２，Ｂ３に対して昇降回動可能に支持され、その外周面の一部に係止部Ｃ１を有するロックピンと、
ロックピンを、その係止部Ｃ１が、回動ブラケットと固定ブラケットのうちロックピンが支持されていない方の側壁部Ａ２，Ａ３又は側壁部Ｂ２，Ｂ３に設けられた係止部Ｘ１に係止されるロック方向に常時付勢するためのロックピン付勢バネと、
ロックピンをその係止部Ｃ１が係止部Ｘ１から外れるロック解除方向に強制的に移動させるロック解除部材と、
で構成され、
係止部Ａ４又は係止部Ｂ４のうち少なくとも一方が、後壁部Ａ１の下部又は後壁部Ｂ１の上部に設けられた折曲部とされ、
使用時の上側位置にあるときには、
係止部Ｘ１とロックピンの係止部Ｃ１とが係止することによって、後方から力が加えられた場合であっても前方回動が規制され、
固定ブラケットの係止部Ｂ４と回動ブラケットの係止部Ａ４とが係止することによって、前方から力が加えられた場合であっても後方回動が規制され、
ロック解除部材を操作してロックピンをロック解除方向に移動させると、係止部Ｘ１とロックピンの係止部Ｃ１とが外れ、回動ブラケット付勢バネの付勢力によって前方回動して不使用時の前方下側位置となるようにした
ことを特徴とするヘッドレスト。
【請求項２】
回動ブラケットの側壁部Ａ２，Ａ３が、固定ブラケットの側壁部Ｂ２，Ｂ３よりも外側に位置するとともに、
ヘッドレストフレームの縦フレーム部における外周面に当接した状態で、側壁部Ａ２，Ａ３が配置され、
ヘッドレストフレームの縦フレーム部の下端部が、主軸の近傍まで延在された
請求項１記載のヘッドレスト。
【請求項３】
ロックピンが、回動ブラケットの側壁部Ａ２，Ａ３に支持されて、
係止部Ｘ１が、固定ブラケットの側壁部Ｂ２，Ｂ３に設けられるとともに、
回動ブラケット及び固定ブラケットが、ヘッドレストフレームにおける左側の縦フレーム部の下端部と右側の縦フレーム部の下端部とにそれぞれ設けられて、
主軸が、左側の固定ブラケットと右側の固定ブラケットとに挿通されて溶接結合され、
左側の固定ブラケットと右側の固定ブラケットとが、左右一対のヘッドレストステーにおけるそれぞれのステーの上端部、又は、シートバックに収容されたシートバックフレームの上部に対して固定された
請求項１又は２記載のヘッドレスト。
【請求項４】
少なくとも一方が上端部を開放された中空パイプからなる左右一対のヘッドレストステーと、
シートバックの上部に固定され、ヘッドレストステーを昇降可能な状態で保持するステーホルダと、
左右一対のヘッドレストステーのうち、上端部を開放された中空パイプからなる側のヘッドレストステーの上端部に固定されたワイヤ固定部材及びワイヤ固定補助部材と、
をさらに備え、
ロックピンが、その一端側の外周面にカム部Ｃ２を有し、
ロック解除部材が、
上端部を開放された中空パイプからなるヘッドレストステーの内部に挿通されたロック解除ワイヤと、
カム部Ｄ１を有し、ロック解除ワイヤの上端部に固定されたロック解除プレートと、
で構成され、
使用時の上側位置にあるときに、ロック解除ワイヤを引張操作すると、ロック解除プレートのカム部Ｄ１がロックピンのカム部Ｃ２に作用して、ロックピンがロック解除方向に移動するようにした
請求項１〜３いずれか記載のヘッドレスト。
【請求項５】
ロック解除部材が、ロックピンをロック解除方向に移動させるためのロック解除レバーである請求項１〜３いずれか記載のヘッドレスト。
【請求項６】
シートフレームに固定するためのシートフレームブラケットをさらに備え、
シートフレームブラケットと、固定ブラケットのうち、
又は、
シートフレームブラケットと、別途設けられた主軸ブラケットのうち、
一方に、フック部が形成され、他方に、当該フック部に嵌合可能なフック嵌合部が形成され、
フック部に対してフック嵌合部を嵌合することによって、回動ブラケット、ヘッドレストフレーム、主軸、固定ブラケット、回動ブラケット付勢バネ、ロックピン、ロックピン付勢バネ及びロック解除部材で構成されるヘッドレストユニットをシートフレームブラケットに対して位置決めし、その状態で互いをボルトで固定できるようにした
請求項１、２、３又は５記載のヘッドレスト。
【手続補正２】
【補正対象書類名】明細書
【補正対象項目名】００２１
【補正方法】変更
【補正の内容】
【００２１】
ロック解除部材としてワイヤ（ロック解除ワイヤ）を用いる態様としては、以下の構成が好適である。
すなわち、
少なくとも一方が上端部を開放された中空パイプからなる左右一対のヘッドレストステーと、
シートバックの上部に固定され、ヘッドレストステーを昇降可能な状態で保持するステーホルダと、
左右一対のヘッドレストステーのうち、上端部を開放された中空パイプからなる側のヘッドレストステーの上端部に固定されたワイヤ固定部材及びワイヤ固定補助部材と、
をさらに備え、
ロックピンが、その一端側の外周面にカム部Ｃ２を有し、
ロック解除部材が、
上端部を開放された中空パイプからなるヘッドレストステーの内部に挿通されたロック解除ワイヤと、
カム部Ｄ１を有し、ロック解除ワイヤの上端部に固定されたロック解除プレートと、
で構成され、
使用時の上側位置にあるときに、ロック解除ワイヤを引張操作すると、ロック解除プレートのカム部Ｄ１がロックピンのカム部Ｃ２に作用して、ロックピンがロック解除方向に移動するようにする
構成である。
【手続補正３】
【補正対象書類名】明細書
【補正対象項目名】００４０
【補正方法】変更
【補正の内容】
【００４０】
１．６  ロックピン
ロックピン２４は、図３（ａ）に示すように、ヘッドレストが使用時の上側位置にあるときに、固定側部材２０に対して回動側部材１０が前方回動できない状態となるように、固定ブラケット２２（固定側部材）に対して回動ブラケット１１（回動側部材）をロックするための軸状の部材となっている。第一実施態様のヘッドレストにおいては、ロックピン２４を、固定ブラケット２２の側壁部Ｂ２，Ｂ３に対して昇降回動可能な状態となるように、上記のロックピン支持軸２７に対して回動可能な状態で取り付けている。ロックピン２４の外周面の一部は、回動ブラケット１１の側壁部Ａ２，Ａ３に設けられた係止部Ｘ１に係止するための係止部Ｃ１となっている。また、ロックピン２４における、その一端側の外周面は、後述するロック解除プレート２６ｂのカム部Ｄ１が作用するためのカム部Ｃ２となっている。